【事件の表示】
　特願２０００−１１６８７１「遊技スイッチ装置」拒絶査定不服審判事件〔平成１３年１０月３０日出願公開、特開２００１−２９９９８９〕について、次のとおり審決する。
【結　論】
　本件審判の請求は、成り立たない。
【理　由】
第１．手続の経緯　
　本願は、平成１２年４月１８日の出願であって、平成１５年１２月１５日付の拒絶理由通知に対して平成１６年３月８日付で手続補正がなされ、同年４月２７日付の拒絶理由通知に対して同年７月１２日付で手続補正がなされ、これに対し、同年９月１日付で補正の却下の決定がなされるとともに拒絶査定がなされ、これに対し、同年１０月１４日付で拒絶査定不服の審判請求がなされるとともに同年１１月１５日付で手続補正がなされたものである。
　
　
第２．平成１６年１１月１５日付の手続補正についての補正却下の決定　
〔補正却下の決定の結論〕　
　平成１６年１１月１５日付の手続補正（以下、「本件補正」という。）を却下する。　
　
［理由］　
【１】本件補正の内容と補正の適否　
　本件補正により、特許請求の範囲の請求項１は、平成１６年３月８日付手続補正により補正された特許請求の範囲の請求項１、３、４及び５に記載された
「【請求項１】　棒状のレバーピースを装置本体にレバー軸で回転可能に支持し、装置本体より前側に突出したレバーピースの先端に握部を設けた遊技スイッチ装置において、レバーピースをレバー軸と握部との間でレバー軸側ピースと握部側ピースとに分割し、それぞれの分割端部相互をピース軸で回転可能に連結し、レバー軸による回転方向とピース軸による回転方向とを互いに直交させたことを特徴とする遊技スイッチ装置。
　【請求項３】　レバー軸側ピースと握部側ピースとに操作位置ロック機構を備えたことを特徴とする請求項１記載の遊技スイッチ装置。
　【請求項４】　操作位置ロック機構はロック球とこれを受けるロック凹部との係合離脱が弾性作用下で行われることを特徴とする請求項３記載の遊技スイッチ装置。
　【請求項５】　弾性作用はばねにより形成されたことを特徴とする請求項４記載の遊技スイッチ装置。」から、　
「【請求項１】　スイッチをオン・オフ操作するための棒状のレバーピースを遊技機の外枠に片開き可能に取り付けられた前枠の図柄視認領域よりも下側に配置された装置本体の内部と装置本体の前方とにわたり装置本体の前面を前後方向に貫通して設け、このレバーピースを装置本体に対し装置本体の前面よりも内部に設けられたレバー軸で上下方向に回転可能に支持し、装置本体の前面より前側に突出したレバーピースの先端に握部を設け、握部への人為的な操作によって、レバーピースがレバー軸を中心として下方へ回転されると、レバーピースの装置本体の内部における部分が装置本体の内部に設けられた前記スイッチをオン動作させ、前記握部への人為的な操作力が解放されると、装置本体の内部に設けられた復帰ばねのばね力によりレバー軸側ピースがレバー軸を中心として上方向へ回転して前向きの形態に保持される遊技スイッチ装置において、レバーピースを装置本体の前面と握部との間でレバー軸側ピースと握部側ピースとに分割し、それぞれの分割端部相互を装置本体の前面から前方に遊離するピース軸で上下方向と直交する横方に回転可能に連結し、レバー軸側ピースと握部側ピースとにはロックばねのばね力によりロック球を分割端部の一方に設けられたロック凹部に取り込むことによってレバー軸側ピースと握部側ピースとを１本の直線状の棒のような形態に保持する操作位置ロック機構を備え、前枠が横方向前側に片開きされる過程において、握部が遊技機に隣接する周辺機器に接触した場合、前枠の片開きに伴い、操作位置ロック機構のロック球がロック凹部から出てロック凹部に隣接するピース軸を中心とする分割端部の一方に設けられた弧面に摺動し、握部側ピースがピース軸を中心として横方向に倒伏し、握部が装置本体の前面の側に移動するように、レバーピースが中折れすることを特徴とする遊技スイッチ装置。」
へと補正された。　
　
　本件補正により特許請求の範囲の請求項１にした補正は、遊技スイッチ装置のレバーピースが、「スイッチをオン・オフ操作するため」に、「遊技機の外枠に片開き可能に取り付けられた前枠の図柄視認領域よりも下側に配置された装置本体の内部と装置本体の前方とにわたり装置本体の前面を前後方向に貫通して」設けられ、前記レバーピースのレバー軸が、「装置本体の前面よりも内部に設けられ」るものであり、前記レバーピースについて、「握部への人為的な操作によって、レバーピースがレバー軸を中心として下方へ回転されると、レバーピースの装置本体の内部における部分が装置本体の内部に設けられた前記スイッチをオン動作させ、前記握部への人為的な操作力が解放されると、装置本体の内部に設けられた復帰ばねのばね力によりレバー軸側ピースがレバー軸を中心として上方向へ回転して前向きの形態に保持される」ものであるものに限定し、また、前記レバーピースの分割体である各ピースの分割・連結箇所を、「装置本体の前面」と握部との間とするとともに、前記各ピースの分割・連結箇所にあるピース軸での回転方向が「横方」であるものに限定し、さらに、前記分割・連結箇所に設けるばねを「ロックばね」として、「前枠が横方向前側に片開きされる過程において、握部が遊技機に隣接する周辺機器に接触した場合、前枠の片開きに伴い、操作位置ロック機構のロック球がロック凹部から出てロック凹部に隣接するピース軸を中心とする分割端部の一方に設けられた弧面に摺動し、握部側ピースがピース軸を中心として横方向に倒伏し、握部が装置本体の前面の側に移動するように、レバーピースが中折れする」ように限定したものであるが、これらの限定は、発明特定事項の直列的付加又は上位概念から下位概念への変更に当たり、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否　
［１］引用例に記載の発明
　第１引用例：特開２０００−１４８６２号公報　
　第２引用例：実願昭５７−１７５１１４号（実開昭５９−８０８１９号）　　　　　　　のマイクロフィルム
　
（１）第１引用例に記載の発明
　原査定の拒絶の理由に引用された、平成１２年１月１８日に頒布された刊行物である第１引用例（特開２０００−１４８６２号公報）には、以下の事項が記載されている。
（ア）「【００１４】【実施例】図１は、この発明の一実施例であるスロットマシンの外観を示す。このスロットマシンは、ボックス形状の本体部２の前面開口に扉部３を開閉可能に取り付けて機体１が構成される。」（第３頁第４欄６〜１０行）
（イ）「【００１６】前記扉部３の前面は、各リール８ａ，８ｂ，８ｃのシンボルを可変表示するための正面パネル１１と、・・・で構成される。」（第３頁第４欄２９〜３２行）
（ウ）「【００１７】正面パネル１１の下方には、始動操作具としての始動レバー１４・・・が、それぞれ配備される。」（第３頁第４欄３５〜３９行）
（エ）「【００２４】また、このスロットマシンでは、・・・３枚ベットの第１のベット釦スイッチ３３が押操作されたときに、遊技者が始動レバー１４を操作しなくても、始動レバー１４が遊技者により操作されたのと同じ物理状態に強制的に設定して、３個のリール８ａ，８ｂ，８ｃを一斉に始動できるように構成してある。」（第４頁第６欄３〜１２行）
（オ）「【００２６】前記強制操作機構６０は、駆動源である電磁ソレノイド６２と、電磁ソレノイド６２のロッド６３と始動レバー１４の軸部１４Ａとの間に設けられた連結部材６４Ａとを備えている。・・・始動レバー１４は支え軸６６を支点として下方へ傾動し、遊技者が始動レバー１４を押操作した状態（図５に鎖線で示す状態）に設定される。電磁ソレノイド６２が消勢されると、始動レバー１４の軸部１４の先端側に復帰ばね６７が設けてあるので、そのばね圧により始動レバー１４は水平な待機状態に戻る。」（第４頁第６欄２１〜３１行）
（カ）「【００２７】始動レバー１４の軸部１４Ａの先端には、シャッター６５が設けられている。このシャッター６５は、光電センサーより成るレバー操作検知用のセンサー４６の光路を開閉する。始動レバー１４が操作されていない状態では、シャッター６５は前記光路を遮断する。始動レバー１４が操作された状態では、シャッター６５は前記光路を開放する。光路が開放されたとき、センサー４６は、リール８ａ，８ｂ，８ｃを一斉始動させるための始動信号を出力する。」（第４頁第６欄３２〜４０行）
（キ）【図１】、【図４】からは、始動レバー１４の先端に握部が設けられている点が把握できる。
（ク）【図１】からは、始動レバー１４が、機体１の前面より前側に突出している点が把握できる。
　
　上記（ア）〜（ク）の記載及び図面によれば、第１引用例には、以下の発明（以下、「第１引用例に記載の発明」という。）が記載されている。
「軸部１４Ａを備える始動レバー１４をスロットマシンの本体部２に開閉可能に取り付けた扉部３の、各リール８ａ，８ｂ，８ｃのシンボルを可変表示するための正面パネル１１の下方の機体１に配備し、この始動レバー１４を支え軸６６を支点として下方へ傾動可能にし、機体１の前面より前側に突出した始動レバーの先端に握部を設け、握部を設けた始動レバー１４を遊技者が押操作して、始動レバー１４が支え軸６６を支点として下方へ傾動すると、レバー操作検知用のセンサー４６の光路を開放してリール８ａ，８ｂ，８ｃを一斉始動させるための始動信号を出力し、握部を設けた始動レバー１４が操作されていない状態では、始動レバー１４の軸部１４Ａの先端側に設けた復帰ばね６７のばね圧により始動レバー１４が水平な待機状態に戻って、前記光路を遮断する装置。」　
　
（２）第２引用例に記載の発明
　原査定の拒絶の理由に引用された、昭和５９年５月３１日に頒布された刊行物である第２引用例（実願昭５７−１７５１１４号（実開昭５９−８０８１９号）のマイクロフィルム）には、以下の事項が記載されている。
（ア）「本考案は、・・・チェンジレバーの上部を車体上面に略沿うように折曲可能に構成して、乗降時の障害とならないように構成した走行車輌のチェンジレバー装置を提供することを目的とする。
　この目的を達成するための本考案の特徴とするところは、乗降口に面した車体の側壁上部にチェンジレバーを横軸廻り回動自在に配置し、このチェンジレバーをその中途で上下２分割して前後軸廻り折曲自在に連結し、且つ上部レバーを操作姿勢と車体上面に略沿う折曲姿勢とに保持する姿勢保持機構を設けている点にある。」（第２頁１２行〜第３頁３行）
（イ）「第２図乃至第６図に示す本考案の第１実施例において、（１３）はミッションケース（２）の側壁（２ａ）上部に横軸廻り回転自在に挿支された支軸で、・・・その突出端にはチェンジレバー（１１）が固定されている。
　チェンジレバー（１１）は下端に支軸（１３）に套嵌合され且つピン（１６）により固定された筒ボス（１７）を有し、その上端にはノブ（１８）が取付けられており、側壁（２ａ）に沿って立設していて、ノブ（１８）の近傍でミッションケース（２）側へ折曲されている。
　前記チェンジレバー（１１）は上下方向中途で上下２分割されていて、上部レバー（１９）の下部と下部レバー（２０）の上部とはピン（２１）を介して連結されていて、上部レバー（１９）はピン（２１）を中心に前後軸廻り折曲自在となっている。
　前記上部レバー（１９）の下部と下部レバー（２０）の上部との間には姿勢保持機構（２３）が設けられている。第４図及び第５図において、上部レバー（１９）の下端は円弧状に形成され且つその周面に２つのＶ字形切欠き（２４ａ）（２４ｂ）が形成されており、下部レバー（２０）の上部には孔（２５）が形成され、この孔（２５）内にスプリング（２６）とボール（２７）とが配置され、このボール（２７）はスプリング（２６）の弾圧によって切欠き（２４ａ）（２４ｂ）に係合可能である。（２８ａ）（２８ｂ）は夫々下部レバー（２０）に設けたストッパである。
　第２図及び第４図に示すチェンジレバー（１１）の実線姿勢は操作姿勢（Ａ）であり、上部レバー（１９）はストッパ（２８ａ）に当接し、ボール（２７）は切欠き（２４ａ）に係合してその姿勢（Ａ）が保持されており、上部レバー（１９）を前後方向に回動することによって上下レバー（１９）（２０）は一体となって支軸（１３）を回動する。
　第２図及び第４図仮想線はチェンジレバー（１１）の折曲姿勢（Ｂ）を示し、上部レバー（１９）はストッパ（２８ｂ）に当接し、ボール（２６）は切欠き（２４ｂ）に係合してその姿勢（Ｂ）が保持されており、上部レバー（１９）は折曲されてミッションケース（２）の上面（２ｂ）（傾斜面を含む）に略沿った状態となっており、ノブ（１８）の位置は操作姿勢（Ａ）のときに比べて極めて低位置となり、オペレータが乗降時に足を引掛けることがなくなる。
　前記姿勢保持機構（２３）は上部レバー（１９）を下部レバー（２０）に対して直線状となる操作姿勢（Ａ）と、側方へ倒した折曲姿勢（Ｂ）とに保持でき、且つ両姿勢（Ａ）（Ｂ）相互の変更を可能にする構成であれば良く、実施例に限定されるものではない。」（第３頁１５行〜第６頁１行）
　
　上記（ア）、（イ）の記載及び図面によれば、第２引用例には、以下の発明（以下、「第２引用例に記載の発明」という。）が記載されている。
「ミッションケース（２）の側壁に横軸廻り回転自在に挿支された支軸（１３）の突出端に固定されたチェンジレバー（１１）を、ノブ（１８）を取り付けた上部レバー（１９）と、下部レバー（２０）とに分割し、上部レバー（１９）の下部と下部レバー（２０）の上部とはピン（２１）を介して連結して、上部レバー（１９）はピン（２１）を中心に前後軸廻り折曲自在とし、上部レバー（１９）の下端は円弧状に形成され且つその周面に２つのＶ字形切欠き（２４ａ）（２４ｂ）が形成されており、下部レバー（２０）の上部には孔（２５）が形成され、この孔（２５）内にスプリング（２６）とボール（２７）とが配置され、このボール（２７）はスプリング（２６）の弾圧によって切欠き（２４ａ）（２４ｂ）に係合可能とした姿勢保持機構（２３）を設け、上部レバー（１９）の切欠き（２４ａ）にボール（２７）が係合して上部レバー（１９）を下部レバー（２０）に対して直線状となる操作姿勢を保持し、上部レバー（１９）の切欠き（２４ｂ）にボール（２６）が係合して折曲姿勢を保持するようにしたチェンジレバー装置。」
　
［２］本願補正発明について
（１）本願補正発明と第１引用例に記載の発明との対比　
（ア）本願補正発明と第１引用例に記載の引用発明とを対比すると、第１引用例に記載の発明の「始動レバー１４」は、本願補正発明の「レバーピース」に相当し、以下同様に、
　「軸部１４Ａを備える始動レバー１４」は、「棒状のレバーピース」に、
　「スロットマシンの本体部２」は、「遊技機の外枠」に、
　「扉部３」は、「前枠」に、　
　「機体１」は、「装置本体」に、
　「各リール８ａ，８ｂ，８ｃのシンボルを可変表示するための正面パネル１１の下方の機体１」は、「図柄視認領域よりも下側に配置された装置本体」に、
　「配備し」は、「設け」に、　
　「支え軸６６」は、「レバー軸」に、
　「支え軸６６を支点として下方へ傾動可能にし」は、「レバー軸で上下方向に回転可能に支持し」に、　
　「握部を設けた始動レバー１４を遊技者が押操作して」は、「握部への人為的な操作によって」に、
　「始動レバー１４が支え軸６６を支点として下方へ傾動する」は、「レバーピースがレバー軸を中心として下方へ回転される」に、　
　「握部を設けた始動レバー１４が操作されていない状態では」は、「握部への人為的な操作力が解放されると」に、　
　「始動レバー１４の軸部１４Ａの先端側に設けた復帰ばね６７のばね圧により始動レバー１４が水平な待機状態に戻って」は、「復帰ばねのばね力によりレバー軸側ピースがレバー軸を中心として上方向へ回転して前向きの形態に保持される」に、それぞれ相当する。　
（イ）第１引用例に記載の発明は、「始動レバー１４」を傾動させることによって、センサー４６の光路を遮断状態から開放状態に変えて、始動信号を出力するものであるが、この始動信号の出力のためにスイッチをオンしていることは、当業者にとって自明の技術事項であるから、当該「始動レバー１４」は、「スイッチをオン・オフ操作するため」のものであり、当該「始動レバー１４」を傾動させることにより、「スイッチをオン動作させ」ているといえる。
（ウ）第１引用例に記載の発明の「装置」は、スロットマシンでの利用に供されるものであり、前記（イ）に説示したように、スイッチを有するものであるのは自明であるから、本願補正発明の「遊技スイッチ装置」と対応する。
　
　そうすると、本願補正発明と第１引用例に記載の発明とは、
「スイッチをオン・オフ操作するための棒状のレバーピースを遊技機の外枠に開閉可能に取り付けられた前枠の図柄視認領域よりも下側に配置された装置本体に設け、このレバーピースをレバー軸で上下方向に回転可能に支持し、装置本体の前面より前側に突出したレバーピースの先端に握部を設け、握部への人為的な操作によって、レバーピースがレバー軸を中心として下方へ回転されると、レバーピースが前記スイッチをオン動作させ、前記握部への人為的な操作力が解放されると、装置本体の内部に設けられた復帰ばねのばね力によりレバー軸側ピースがレバー軸を中心として上方向へ回転して前向きの形態に保持される遊技スイッチ装置。」の点で一致し、以下の点で相違する。
　
　相違点Ａ．本願補正発明は、レバーピースが、「装置本体の内部と装置本体の前方とにわたり装置本体の前面を前後方向に貫通して」設けられ、レバーピースのレバー軸が、「装置本体に対し装置本体の前面よりも内部」に設けられ、レバーピースによりオン動作されるスイッチが、「装置本体の内部」に設けられ、当該スイッチをオン動作するのが、「レバーピースの装置本体の内部における部分」としたものであるが、第１引用例に記載の発明は、これらの構成に関して明らかでない点。
　
　相違点Ｂ．本願補正発明は、前枠が「片開き」可能なものであり、また、「レバーピースを装置本体の前面と握部との間でレバー軸側ピースと握部側ピースとに分割し、それぞれの分割端部相互を装置本体の前面から前方に遊離するピース軸で上下方向と直交する横方に回転可能に連結し、レバー軸側ピースと握部側ピースとにはロックばねのばね力によりロック球を分割端部の一方に設けられたロック凹部に取り込むことによってレバー軸側ピースと握部側ピースとを１本の直線状の棒のような形態に保持する操作位置ロック機構を備え、前枠が横方向前側に片開きされる過程において、握部が遊技機に隣接する周辺機器に接触した場合、前枠の片開きに伴い、操作位置ロック機構のロック球がロック凹部から出てロック凹部に隣接するピース軸を中心とする分割端部の一方に設けられた弧面に摺動し、握部側ピースがピース軸を中心として横方向に倒伏し、握部が装置本体の前面の側に移動するように、レバーピースが中折れする」ようにしたものであるが、第１引用例に記載の発明は、前記構成を備えたものでない若しくは明らかでない点。
　
（２）相違点Ａについての判断　
　スロットマシン等の遊技機において、レバーピースを、「装置本体の内部と装置本体の前方とにわたり装置本体の前面を前後方向に貫通して」設け、レバーピースのレバー軸を、「装置本体に対し装置本体の前面よりも内部」に設け、レバーピースによりオン動作されるスイッチを、「装置本体の内部」に設け、当該スイッチをオン動作するのが、「レバーピースの装置本体の内部における部分」とすることは、従来一般的な技術（以下、「一般技術Ａ」という。）であり、例えば、特開平５−１２３４４４号公報（特に、段落【０１３７】，【図４２】等を参照）に記載されるとおりである。
　そうすると、第１引用例に記載の発明で明らかでない相違点Ａに係る構成について、第１引用例に記載の発明を、上記一般技術Ａの如くのものとすることは、当業者であれば容易に想到し得る事項である。
　
（３）相違点Ｂについての判断
（ア）第２引用例に記載された発明は、チェンジレバー（１１）を固定した支軸（１３）が、「横軸廻り回転自在に挿支された」ものであり、また、当該チェンジレバー（１１）の分割体である上部レバー（１９）が、「ピン（２１）を中心に前後軸廻り」に折曲自在のものであるが、前記「横軸」と「前後軸」とが「直行する」ことは、第２引用例の第２図及び第３図の記載からも明らかであるから、第２引用例に記載された発明は、前記相違点Ｂの構成に関して、機構上、「レバーピースを装置本体の面と握部との間でレバー軸側ピースと握部側ピースとに分割し、それぞれの分割端部相互を装置本体から遊離するピース軸で、（レバー軸での回転方向である）上下方向と直交する横方に回転可能に連結し、レバー軸側ピースと握部側ピースとにはロックばねのばね力によりロック球を分割端部の一方に設けられたロック凹部に取り込むことによってレバー軸側ピースと握部側ピースとを１本の直線状の棒のような形態に保持する操作位置ロック機構を備え、操作位置ロック機構のロック球がロック凹部から出てロック凹部に隣接するピース軸を中心とする分割端部の一方に設けられた弧面に摺動し、握部側ピースがピース軸を中心として横方向に倒伏し、握部が装置本体の面の側に移動するように、レバーピースが中折れするようにした」点を、実質的に備えたものであるといえる。
（イ）そして、第２引用例に記載された発明は、上記第２．【２】［１］（２）に摘示した第２引用例の記載によれば、走行車輌への乗降時に、レバーが足を引掛ける障害とならないようにすることを技術的課題としたものであるが、第２引用例に記載された発明や、その他、例えば特開平１０−１１３４２７号公報に記載された技術（特に、段落【００１８】の後半部分を参照）のように、操作装置における突出部が邪魔になるような場合のために、その突出部を待避可能とすることは、技術的課題として一般的である（以下、「一般技術Ｂ」という。）。
（ウ）また、スロットマシン等の遊技機において、前枠を「片開き」可能とすることは従来一般的な技術（以下、「一般技術Ｃ」という。）であり、例えば、前記した特開平５−１２３４４４号公報、特開平７−２５５９０２号公報等に記載されるとおりである。
　
　そうすると、第１引用例に記載の発明で明らかでない前枠の開閉の態様を、一般技術である「片開き」としたものにおいて、「前枠が横方向前側に片開きされる過程において、握部が遊技機に隣接する周辺機器に接触した場合」等の、突出部（握部）が邪魔になるような場合のために、その突出部（握部）を待避可能とするという一般的な技術課題を解決するために、第２引用例に記載された発明が備える機構を採用し、またこれを採用するにあたって、装置本体の前面に対する向きについての必要な変更を適宜加えて、本願補正発明の相違点Ｂに係る本願補正発明の構成とすることは、当業者であれば容易に想到し得る事項である。
　
（４）本願補正発明の作用効果の検討　
　本願補正発明の作用効果は、第１引用例に記載の発明及び第２引用例に記載の発明並びに上記一般技術Ａ乃至Ｃに基づいて当業者が当然予測できるものである。　
　　
（５）むすび　
　よって、本件補正後の請求項１に記載された本願補正発明は、第１引用例に記載の発明及び第２引用例に記載の発明並びに上記一般技術Ａ乃至Ｃに基づいて当業者が容易に発明をすることができたものであり、特許法第２９条第２項の規定により、その特許出願の際に独立して特許を受けることができない。　
　
　
［３］補正の却下の決定のむすび
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１６年１１月１５日付の手続補正が上記のとおり却下されているので、同年３月８日付の手続補正により補正された明細書及び図面の記載からみて、その特許請求の範囲の請求項１に記載された事項により特定される以下のとおりのものである（以下、「本願発明」という。）。　
「【請求項１】　棒状のレバーピースを装置本体にレバー軸で回転可能に支持し、装置本体より前側に突出したレバーピースの先端に握部を設けた遊技スイッチ装置において、レバーピースをレバー軸と握部との間でレバー軸側ピースと握部側ピースとに分割し、それぞれの分割端部相互をピース軸で回転可能に連結し、レバー軸による回転方向とピース軸による回転方向とを互いに直交させたことを特徴とする遊技スイッチ装置。」 
　
　
【２】特許法第２９条２項の適用
［１］引用例に記載の発明　
　原査定の拒絶の理由で引用された第１引用例（特開２０００−１４８６２号公）に記載の発明及び第２引用例（実願昭５７−１７５１１４号（実開昭５９−８０８１９号）のマイクロフィルム）に記載の発明は、上記第２．【２】［１］に記載したとおりである。
　
　
［２］対比・判断
　本願発明は、本願補正発明において、遊技スイッチ装置のレバーピースが、「スイッチをオン・オフ操作するため」に、「遊技機の外枠に片開き可能に取り付けられた前枠の図柄視認領域よりも下側に配置された装置本体の内部と装置本体の前方とにわたり装置本体の前面を前後方向に貫通して」設けられ、前記レバーピースのレバー軸が、「装置本体の前面よりも内部に設けられ」るものであり、前記レバーピースについて、回転方向が「上下方向」で、「握部への人為的な操作によって、レバーピースがレバー軸を中心として下方へ回転されると、レバーピースの装置本体の内部における部分が装置本体の内部に設けられた（前記）スイッチをオン動作させ、前記握部への人為的な操作力が解放されると、装置本体の内部に設けられた復帰ばねのばね力によりレバー軸側ピースがレバー軸を中心として上方向へ回転して前向きの形態に保持される」ものであるものに限定し、また、前記レバーピースの分割体である各ピースの分割・連結箇所を、「装置本体の前面」と握部との間とするとともに、前記各ピースの分割・連結箇所にあるピース軸を、「装置本体の前面の前方から遊離する」もので、且つ、当該ピース軸での回転方向が「横方」であるものに限定し、さらに、レバー軸側ピースと握部側ピースとに、「ロックばねのばね力によりロック球を分割端部の一方に設けられたロック凹部に取り込むことによってレバー軸側ピースと握部側ピースとを１本の直線状の棒のような形態に保持する操作位置ロック機構を備え、前枠が横方向前側に片開きされる過程において、握部が遊技機に隣接する周辺機器に接触した場合、前枠の片開きに伴い、操作位置ロック機構のロック球がロック凹部から出てロック凹部に隣接するピース軸を中心とする分割端部の一方に設けられた弧面に摺動し、握部側ピースがピース軸を中心として横方向に倒伏し、握部が装置本体の前面の側に移動するように、レバーピースが中折れする」ように限定した事項を省いたものである。
　そうすると、本願発明の構成要素を全て含むものに相当する本願補正発明が、上記第２．【２】［２］に説示したように、第１引用例に記載の発明及び第２引用例に記載の発明並びに上記一般技術Ａ乃至Ｃに基づいて、当業者が容易に発明をすることができたものであるから、本願発明は、同様の理由により、第１引用例に記載の発明及び第２引用例に記載の発明並びに上記一般技術Ａ乃至Ｃに基づいて、当業者が容易に発明をすることができたものである。
　
　
［３］むすび　
　以上のとおり、本願発明は、第１引用例に記載の発明及び第２引用例に記載の発明並びに上記一般技術Ａ乃至Ｃに基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。